(57)【要約】【課題】映像コンテンツの表示において、ユーザーが自分の好みの色に連続して変更しようとする場合、色補正後の画像を色補正する度に変更されると、色補正前の画像が記憶に残らず、好みの色に補正をすることが難しいという課題がある。【解決手段】映像を入力し表示する表示手段（１０）と、前記映像を台形補正する台形補正手段と、前記映像内の色の調整位置を指定する色調整位置表示手段（１）と、前記調整位置の色を表示する色表示手段（２）と、前記調整位置の色を変更する色変更手段（７）と、前記色変更手段により色を変更した後の色を表示する変更後色表示手段（３）と、を具備し、前記色変更手段（７）で色を変更後、前記映像に変更後の色を前記変更後色表示手段（３）に反映すると共に前記変更後色表示手段（３）により表示される色を再び前記色表示手段（２）に表示させる画像表示装置である。【選択図】図１
2006101105.tif 000002
【特許請求の範囲】
【請求項１】
映像を入力し表示する表示手段と、
前記映像を台形補正する台形補正手段と、
前記映像内の色の調整位置を指定する色調整位置表示手段と、
前記調整位置の色を表示する色表示手段と、
前記調整位置の色を変更する色変更手段と、
前記色変更手段により色を変更した後の色を表示する変更後色表示手段と、
を具備し、
前記色変更手段で色を変更後、前記映像に変更後の色を前記変更後色表示手段に反映すると共に前記変更後色表示手段により表示される色を再び前記色表示手段に表示させる画像表示装置。
【請求項２】
前記映像内の色調整位置表示手段にて無彩色を選択した場合は、前記色表示手段を表示させない、または前記色変更手段を表示させない請求項１記載の画像表示装置。
【請求項３】
台形補正後、前記色調整位置表示手段の移動量を、台形補正後の映像表示領域内に少なくとも前記映像内の前記色調整位置表示手段の一端が存在するように制限する請求項１記載の画像表示装置。
【請求項４】
前記表示手段、前記色調整位置手段、前記色表示手段、前記色変更手段、前記変更後色表示手段は前記台形補正手段の前に配置し、色変更後に台形補正させる請求項１記載の画像表示装置。
【請求項５】
映像を入力し表示する表示ステップと、
前記映像を台形補正する台形補正ステップと、
前記映像内の色の調整位置を表示する色調整位置表示ステップと、
前記調整位置の色を表示する色表示ステップと、
前記調整位置の色を変更する色変更ステップと、
前記色変更ステップにより色を変更した後の色を表示する変更後色表示ステップと、
を有し、
前記色変更ステップで色を変更後、前記映像に変更後の色を前記変更後色表示ステップに反映すると共に前記変更後色表示ステップにより表示される色を再び前記色表示ステップに表示させる画像表示方法。
【発明の詳細な説明】
【技術分野】
【０００１】
本発明は、ＤＶＤメディアの映像やパソコンの画像に対して、ユーザーが簡単に色調整できる画像表示装置及び画像表示方法に関する。
【背景技術】
【０００２】
画面上で色補正やノイズ除去を行うための手段として、参照用ウンドウと作業用ウィンドウの２つの画面を表示させて、補正作業することが開示されている。図８ではその補正するための２つのウィンドウ画面を示しているが、色の不備がある画面、すなわちこれから補正する前の状態にあるものを作業用ウィンドウに表示させ、他方、参照用ウィンドウには同一もしくは前後のフレームを表示させて、関連する正常なフレームよりデータを貼り付けて、補正を加えるものとして提案されている。（特許文献１参照）。
【０００３】
また、画面上で色補正を行なう手段として画面内の色を指定するためのカーソル、調整色を表示する為の調整色カラーパレットと、指定した目標色を表示する為の目標色カラーパレットを用いて作業することが開示されている。図９はそのための色調整用画面を示しているが、カーソルで画面内の指定した位置の色を調整色パレットに表示させ、他方、目標色パレットにはその調整色パレットに表示した色を好みの色に補正した後の色を表示することでユーザー所望の補正を行われるものとして提案されている。（特願２００３−１９４２０４号参照）
【特許文献１】特開２００２−２６２２１８号公報
【発明の開示】
【発明が解決しようとする課題】
【０００４】
しかしながら、近年市場に出回っているＤＶＤ（Ｄｉｇｉｔａｌ  Ｖｅｒｓａｔｉｌｅ  Ｄｉｓｋ）メディアや、パソコンなどで表示するブロードバンドメディアでは、ユーザーに届く前に様々な色加工がなされており、ユーザーが好む色からかけ離れた色表示をしてしまう場合がある。またユーザーが自由に色調整できる仕組みを持った表示装置も提案されているが、色補正前と色補正後の画像が常に一定であるため、つまり色補正前の画像を見ながら色補正後の画像を変更するため、変化する画像は色補正後の画像であり色補正前の画像は変わらないためユーザーには簡単かつ連続に色を変更することが難しい。特開２００２−２６２２１８号公報では従来例としてあげた図８からもわかるように、参照用ウィンドウを画面の左に作業用ウィンドウを画面の右に表示して作業する場合、特定の場所の色を一度変更し、また同じ場所の色を変更すると一度変更した後の色が記憶に残らず、正確で簡単な色補正を連続でできないといった課題があった。
【０００５】
さらに特願２００３−１９４２０４号では色を補正する場合、従来例のようにカーソルで取り込んだサンプリングポイントの位置の色が調整色カラーパレットに表示され、その色を変更した後の色が目標色カラーパレットに常に表示されるため、一度目の色変更では、どのような色に変更したかが認識できるが、更にその変更した後の色を好みの色に変更したい場合、一度目に変更した後の色が変わるため正確な記憶に残らなくなり、好みの色に変更するのが難しくなる。ゆえに同一点の色を連続して変更していくのは難しいという課題があった。
【０００６】
本発明は、上記のこのような課題を考慮し、たとえばＤＶＤメディアやパソコンなどで表示するブロードバンドメディアに対して、ユーザーが簡単に連続して色補正できることを実現することが出来る画像表示装置及び画像表示方法を提供することを目的とするものである。
【課題を解決するための手段】
【０００７】
第１の本発明は、映像を入力し表示する表示手段（１０）と、前記映像を台形補正する台形補正手段と、前記映像内の色の調整位置を指定する色調整位置表示手段（１）と、前記調整位置の色を表示する色表示手段（２）と、前記調整位置の色を変更する色変更手段（７）と、前記色変更手段により色を変更した後の色を表示する変更後色表示手段（３）と、を具備し、前記色変更手段（７）で色を変更後、前記映像に変更後の色を前記変更後色表示手段（３）に反映すると共に前記変更後色表示手段（３）により表示される色を再び前記色表示手段（２）に表示させる画像表示装置であるので、ユーザーが簡単かつ連続に色補正をすることができるという作用を有する。
【０００８】
第２の本発明は、前記映像内の色調整位置表示手段にて無彩色を選択した場合は、前記色表示手段を表示させない、または前記色変更手段を表示させない請求項１記載の画像表示装置であるのでホワイトバランスを調整した映像のバランスを崩すことなく色補正ができるという作用を有する。
【０００９】
第３の本発明は、台形補正後、前記色調整位置表示手段の移動量を、台形補正後の映像表示領域内に少なくとも前記映像内の前記色調整位置表示手段の一端が存在するように制限する請求項１記載の画像表示装置であるので、調整位置表示手段が台形補正後の映像において、映像表示領域内の映像のみ選択できるという作用を有する。
【００１０】
第４の本発明は、前記表示手段、前記色調整位置手段、前記色表示手段、前記色変更手段、前記変更後色表示手段は前記台形補正手段の前に配置し、色変更後に台形補正させる請求項１記載の画像表示装置であるので、調整位置表示手段を台形補正後の映像表示領域内に制限することなく調整位置を移動できるという作用を有する。
【００１１】
第５の本発明は、映像を入力し表示する表示ステップと、前記映像を台形補正する台形補正ステップと、前記映像内の色の調整位置を表示する色調整位置表示ステップと、前記調整位置の色を表示する色表示ステップと、前記調整位置の色を変更する色変更ステップと、前記色変更ステップにより色を変更した後の色を表示する変更後色表示ステップと、を有し、前記色変更ステップで色を変更後、前記映像に変更後の色を前記変更後色表示ステップに反映すると共に前記変更後色表示ステップにより表示される色を再び前記色表示ステップに表示させる画像表示方法であるので、第１の本発明同様ユーザーが簡単かつ連続に色補正をすることができるという作用を有する。
【発明の効果】
【００１２】
以上のように本発明は、ＤＶＤメディアやパソコンなどで表示するブロードバンドメディアに対して、色補正した後の色がすぐに反映され表示されるので、それを参照にしながら簡単に連続した色補正することが可能になるという効果が得られる。
【発明を実施するための最良の形態】
【００１３】
以下では、本発明にかかる実施の形態について、図面を参照しつつ説明を行う。
【００１４】
（実施の形態１）
はじめに、本発明の実施形態１の画像表示装置を、図５を参照しながら説明する。
【００１５】
図５はプロジェクタ１００の外観図ではあり、プロジェクタ１００は入力された映像信号を処理し、ＰＯＷＥＲボタン１５０を押すことで、図示されていない内部の光源及びライドバルブを用いて、投写レンズ１９０より拡大投写映像を出力する。入力としては、Ｖｉｄｅｏ入力１７０とＲＧＢ入力１６０を持ち、それぞれ外部の機器を接続する。またＵＳＢなどのマウスポートを備え、マウス１３０を接続してプロジェクタ１００のセッティング状態や、画面上を移動できるポインタとして動作させる。これはリモコン６０、操作ボタン１４０（と図示しない決定ボタン）でも同一の機能を実現させることが出来る。なお、カーソル表示ボタン１４１はカーソル表示をＯＮ／ＯＦＦさせる機能を有する。
【００１６】
次に、本発明の実施の形態１のプロジェクタ１００の詳細ブロック図である図６を参照しながら説明する。
【００１７】
ＶＩＤＥＯ端子１１は、ＮＴＳＣ方式のコンポジットビデオ信号を入力するための端子である。
【００１８】
Ｓ−ＶＩＤＥＯ端子１２は、Ｓビデオ信号を入力するための端子である。
【００１９】
ＲＧＢ／ＹＰｂＰｒ端子１３は、ＲＧＢ信号またはＹＰｂＰｒ信号を入力するための端子である。
【００２０】
入力セレクタ２１は、ＶＩＤＥＯ端子１１から入力されたコンポジットビデオ信号、Ｓ−ＶＩＤＥＯ端子１２から入力されたＳビデオ信号の内から何れかの信号を選択するためのセレクタである。
【００２１】
Ｙ／Ｃ分離回路２３は、カラーデコーダ２２によって入力されたコンポジットビデオ信号を、Ｙ信号とＣ信号とに分離するための回路である。
【００２２】
カラーデコーダ２２は、Ｙ／Ｃ分離された信号または入力されたＹ／Ｃ信号をＹＰｂＰｒ信号にカラーデコードするためのデコーダである。
【００２３】
マトリクス回路２４は、ＲＧＢ／ＹＰｂＰｒ端子１３から入力されたＹＰｂＰｒ信号をＲＧＢ信号へ変換する際にマトリクス処理を行うための回路である。
【００２４】
入力セレクタ２５は、ＲＧＢ／ＹＰｂＰｒ端子１３から入力されたＲＧＢ信号、マトリクス回路２４によって生成されたＲＧＢ信号の内から何れかの信号を選択するためのセレクタである。
【００２５】
入力セレクタ２６は、カラーデコーダ２２によって生成されたＹＰｂＰｒ信号、入力セレクタ２５によって入力されたＲＧＢ信号の内から何れかのアナログ信号を選択するためのセレクタである。
【００２６】
Ａ／Ｄコンバータ３０は、入力セレクタ２６によって選択されたアナログ信号を、１０ｂｉｔのデジタル信号へＡ／Ｄコンバートするためのコンバータである。
リサイズ・フリーズ・オンスクリーン発生回路４０は、Ａ／Ｄコンバータ３０によってＡ／Ｄコンバートされたデジタル信号を、ＬＣＤ（Ｌｉｑｕｉｄ  Ｃｒｙｓｔａｌ  Ｐａｎｅｌ）パネル９１〜９３の画素数に応じてリサイズし、オンスクリーンを重畳させるための回路である。また、この回路は台形補正をする機能も備えている。
【００２７】
色変換回路５０は、リサイズ・フリーズ・オンスクリーン発生回路４０が出力したＲＧＢデータをユーザーが選択した色座標の任意の色へ変換する回路である。
【００２８】
輝度算出回路５１は、色変換回路５０が出力したＲＧＢデータより輝度を算出し、任意の領域の輝度データの平均値を出力する回路である。
【００２９】
入力セレクタ５２は、色変換回路５０から出力されたＲＧＢ信号、輝度算出回路５１によって生成されたＲＧＢ信号の内から何れかのデジタル信号を選択するためのセレクタである。
【００３０】
メインマイコン７０は、電源（図示省略）制御、ファン（図示省略）制御、温度制御、入力切り換え制御など装置全体のあらゆる制御を行うとともに、ユーザーが色調整する場合に、マウス１３０やリモコン６０、操作ボタン１４０でカーソル１を移動させる必要があり、外部インタフェース７１からのデータに基づき、色変換回路５０へ座標データを転送し、リサイズ・フリーズ・オンスクリーン発生回路４０に対してフリーズ制御を行う。
【００３１】
デジタル相展開回路８１〜８３は、ＬＣＤパネル９１〜９３の駆動ドライバ（図示省略）の動作速度を考慮して、色変換回路５０によって色補正されたデジタル信号を相展開するための回路である。
【００３２】
パネル駆動ＩＣ（Ｉｎｔｅｇｒａｔｅｄ  Ｃｉｒｃｕｉｔ）９０は、ＬＣＤパネル９１〜９３を駆動するための回路である。
【００３３】
ＬＣＤパネル９１〜９３は、色変換回路５０によって色補正され、デジタル相展開回路８１〜８３によって相展開されたデジタル信号をカラー表示するためのパネルである。
【００３４】
図７は画像表示装置、すなわちプロジェクタ１００を用いた表示システムを示すものである。ＲＧＢ入力１６０に接続されたパソコン６１の画像をプロジェクタ１００を用いてスクリーン１１０に投写する。この時、プロジェクタ１００に対してリモコン６０は各機能の制御を行うとともに、本発明の調整ポイントを移動させる手段として、上下左右キーで投写画面上のカーソルを移動させることが出来る。
【００３５】
次に、このプロジェクタにおける、本発明の動作について図１を用いて説明する。
【００３６】
まず、画面上でＧＵＩ（Ｇｒａｐｈｉｃ  Ｕｓｅｒ  Ｉｎｔｅｒｆａｃｅ）または色調整位置表示手段（ここではカーソル１と呼ぶ）カーソル表示ボタン１４１にてマウス１３０、リモコン３０または操作ボタン１４０のカーソル１を表示する。そして、ユーザーは色を変更したい位置までカーソル１を移動させる。移動後、マウス１３０、リモコン３０または操作ボタン１４０（と図示しない決定ボタン）にて変更したい色を決定する。色を決定すると同時またはその後に調整したい色を表示する色表示手段（ここでは調整色パレット２と呼ぶ）に選択した色を表示させる。またその時に色変更手段（ここでは色調整用画面７と呼ぶ）も表示させる。この色調整用画面７は、例えば彩度スケール４、色相スケール５、明度スケール６の調整スケールを持っている。ここでいう彩度とは色の鮮やかさの度合いのことで、彩度が高ければより鮮やかに、低ければ濁った色になる。色相とは赤・黄・緑・青・紫といった色合いを表す。また、明度とは色の明暗を表す。明度が最大の場合には白、もっとも暗くなると黒になる。このような調整スケールを使用することにより、カーソル１で選択した色を変更する。調整色パレット２に選択した色を表示し、色調整用画面７でそれぞれの調整スケールを動かすと同時またはその後に色を変更した後の色を表示する変更後色表示手段（ここでは目標色パレット３と呼ぶ）に調整スケールで調整したい色を表示させ、補正したい色になれば、ＧＵＩやマウス１３０、リモコン６０または操作ボタン１４０と（図示しない決定ボタン）にて決定をする。その後、映像表示画面全体に色の変更が反映され好みの色を表示することができる。それと同時またはその後に調整色パレット２に目標色パレット３の色を表示させる。ここで続けて色変更する場合、色調整用画面７にて調整色パレット２に表示された色を変更し、目標色パレット３に変更後の色を表示する。そしてＧＵＩやマウス１３０、リモコン６０または操作ボタン１４０と（図示しない決定ボタン）にて決定をする。この作業を連続して繰り返し望む色に変更していく。
【００３７】
ここで、具体的に例をあげると、図１では投写画像の中央上にカーソル１が表示されている。次にマウス１３０、リモコン６０または操作ボタン１４０で動かすことで、画面上のカーソル１は投写画像における山の中心付近に移動され、ここで位置を決定することにより、カーソル１で示された位置の山の色データをプロジェクタの内部回路に取り込み、ＲＧＢがそれぞれ、Ｒ（Ｒｅｄ）：１０レベル／２５６階調、Ｇ（Ｇｒｅｅｎ）：２２０レベル／２５６階調、Ｂ（Ｂｌｕｅ）：２０レベル／２５６階調、と認識する。調整パレット２に表示されたこの色をユーザーは色調整用画面７にて彩度スケール４を彩度が高くなるように変化させ、Ｒ：１０レベル／２５６階調、Ｇ：２３０レベル／２５６階調、Ｂ：８レベル／２５６階調に変更し、目標色パレット３に表示し、ユーザーが好みの色に変更されれば投写画像に反映し変更する。この時、目標色パレット３に表示されているＲ：１０レベル／２５６階調、Ｇ：２３０レベル／２５６階調、Ｂ：８レベル／２５６階調をそのまま調整色パレット２に表示する。変更した色をさらに変更したい場合は、変更後の色が表示されている調整色パレット２を再度色調整用画面７にて色を調整し、これを繰り返すことで好みの色になるように調整できる。次いで山以外にも太陽や背景の空なども変更する場合は、同様にカーソル１を移動させて、色を変換することができる。
【００３８】
以上のように本実施形態によれば、ユーザーは入力された映像信号に対し、台形補正する台形補正手段、映像内の色の調整位置を指定する色調整位置表示手段、調整位置の色を表示する色表示手段、調整位置の色を変更する色変更手段、色変更手段により色を変更した後の色を表示する変更後色表示手段を持ち、色変更手段で色を変更後、映像に変更後の色を反映すると共に変更後色表示手段により表示される色を再び調整位置の色表示手段に表示させることで、簡単に連続した色補正が可能となる。
【００３９】
なお、図１では台形補正前の映像を表示しているが、もちろん台形補正後であっても同様の動作をすることは変わらない。
【００４０】
また、本実施形態のカーソル位置移動後の決定については、特に図示していないが、別途決定ボタンを設けても構わないし、マウス１３０などのダブルクリックでその機能を代用させても良い。またカーソル移動にはリモコン６０、操作ボタン１４０と（図示しない決定ボタン）を用いても構わない。
【００４１】
また、本実施の形態において、リモコン６０の動きに連動して十字形状のカーソル１を移動させたが、そのカーソルは十字でも四角や丸などの選択枠でも構わない。
【００４２】
なお、本実施形態の色調整用画面７は映像信号表示画面１０上に表示させたが、別途パソコンなどのデバイス上に表示させ操作しても構わない。
【００４３】
また、本実施形態の色調整用画面７の調整スケールは彩度、色相、明度を調整するスケールを設けたが、ＲＧＢの階調レベル、ＲＧＢの補正カーブ、コントラストを調整するスケールでも構わない。
【００４４】
また、本実施形態の色調整用画面７の調整スケールは彩度、色相、明度を調整するスケールを設けたが、カーソルで取り込んだ位置の色の単色だけでなく、その色の色度近傍の色を重みづけして変更しても構わない。
【００４５】
さらに、以上説明した本発明の表示装置は、プロジェクタで述べているが、プロジェクタに限定されるものではなく、プラズマディスプレイ、液晶ディスプレイなどの一般的なディスプレイで実現できるものである。
【００４６】
また、本発明の処理はソフトウェア的に実現しても良く、画像表示装置に限定されるものではなく、表示方法そのものも有効であることは言うまでもない。
【００４７】
（実施の形態２）
本発明の実施形態２の画像処理装置は実施の形態１と手段は同じであり、画面上にカーソルを表示して、マウスなどの制御デバイスにより、画面上のカーソル位置を移動させ、ユーザーが色を変換させたい位置で位置決定させると、その位置の画像データを調整色パレット２に表示させ、色調整用画面７により所望の色に変換し、目標色パレット３に色変換後の色を表示させる。その後、映像表示画面に変換後の映像を表示させ、また目標色パレット３に表示している変更後の色を調整色パレット２に表示させ、続けて色補正ができる画像表示装置である。
【００４８】
ここで、本発明の実施形態２で使用する調整色パレット２と色調整画面７について図２を用いて説明する。ユーザーが色補正する際、色の調整位置を指定する色調整位置表示手段であるカーソル１により、例えば図に示されるような無彩色の雲の色を選択した場合、調整色パレット２を表示させないようにする。または色調整画面７を表示させないようにする。これはもし調整色パレット２を表示し、色調整画面７で無彩色の色を変更しようとすることを防ぐようにするためのものである。もし、無彩色の色を誤って変更してしまうと映像のホワイトバランスが崩れてしまい、適した白色が表示されなくなる。ここでいうホワイトバランスとはＲ、Ｇ、Ｂそれぞれの発色具合を調整して白色を正しく表示できるように調整することである。
【００４９】
以上のように本実施形態によれば、ユーザーは映像内の色の調整位置を指定する色調整位置表示手段にて無彩色を選択した場合は調整位置の色を表示させない、または調整位置の色変更手段を表示させないことで映像のホワイトバランスに影響を与えることなく好みの色補正をすることが可能となる。
【００５０】
なお、ここでは無彩色と限定したが、無彩色近傍の色も色補正をするとホワイトバランスが崩れるため調整できないようにしたほうが好ましい。
【００５１】
また、ここでは調整パレット２と色調整画面７を表示できないようにするとしたが、ホワイトバランスを崩さないようにすることが目的であり、表示しても操作できないようしてもよい。
【００５２】
（実施の形態３）
本発明の実施形態３の画像処理装置は実施の形態１と手段はほぼ同じであり、画面上にカーソルを表示して、マウスなどの制御デバイスにより、画面上のカーソル位置を移動させ、ユーザーが色を変換させたい位置で位置決定させると、その位置の画像データを調整色パレット２に表示させ、色調整用画面７により所望の色に変換し、目標色パレット３に色変換後の色を表示させる。その後、映像表示画面に変換後の映像を表示させるものである。
【００５３】
ここで、本実施形態３で使用する台形補正時の色調整位置表示手段について図３を用いて説明する。図３は調整色パレット２と目標色パレット３、また色調整用画面７を表示している。その映像全体を台形補正したものである。
【００５４】
ここで台形補正とは、プロジェクタ−を設定した位置より上方または下方に画像を投影した時に、プロジェクタ−本体の投写レンズを上方または下方に向けて投影することになる。例えば上方に向けて投射した時には本来長方形状である画像の下端は通常の長さよりも短くなり、逆に上端は通常の長さよりも長くなる。従ってこのように投影された映像は上記の場合、下辺（下底）が短く、上辺（上底）が長い台形形状になってしまう。この台形形状になった画像を本来の長方形状に補正するために、プロジェクタ−側で映像を下辺が長く、上辺が短い台形に逆補正して投射する。この場合に、台形にした映像表示領域外の色を選択できないようにするために、カーソル１の移動量を台形補正後の映像表示領域内に少なくともカーソル１の一端が入るように制限する。
【００５５】
以上のように本実施形態によれば、台形補正後、色調整位置表示手段の移動量を少なくとも映像内の色調整位置表示手段の一端が存在するように制限することで台形補正時にユーザーが映像表示領域を気にすることなく簡単で好みの色に補正することを可能にする。
【００５６】
（実施の形態４）
本発明の実施形態４の画像処理装置は、画面上にカーソルを表示して、マウスなどの制御デバイスにより、画面上のカーソル位置を移動させ、ユーザーが色を変換させたい位置で位置決定させると、その位置の画像データを調整色パレット２に表示させ、色調整用画面７により所望の色に変換し、目標色パレット３に色変換後の色を表示させる。その後、映像表示画面に変換後の映像を表示させるものである。
【００５７】
ここで、本実施形態４で使用する色調整位置表示手段、色表示手段、色変更手段、変更後色表示手段について図４を用いて説明する。図４は本実施形態のプロジェクタ１００の詳細ブロック図である。図４は図６に比べてリサイズ・フリーズ・オンスクリーン発生回路４０と色変換回路５０の位置が入れ替わったものである。
【００５８】
先に色変換回路５０にて、カーソル１、調整色パレット２、目標色パレット３、色調整用画面７を用いて色を変換し、その映像信号をリサイズ・フリーズ・オンスクリーン発生回路４０にて台形補正することでカーソル１なども台形補正されるのでカーソル１を映像表示領域内に制限する必要はなくなる。
【００５９】
以上のように本実施形態によれば、ユーザーは入力された映像信号に対し、映像内の色の調整位置を指定する色調整位置表示手段、調整位置の色を表示する色表示手段、調整位置の色を変更する色変更手段、色変更手段により色を変更した後の色を表示する変更後色表示手段は台形補正する台形補正手段の前に配置し、色変更後に台形補正させることでユーザーが映像表示領域を気にすることなく簡単で連続して好みの色に補正することを可能にする。
【産業上の利用可能性】
【００６０】
本発明にかかる画像表示装置及び画像表示方法は、ユーザーが色を補正する場合色補正した後の色がすぐに反映され表示されるので、簡単に連続した補正が可能になるという効果を有し、色補正や変換等の分野で有用である。
【図面の簡単な説明】
【００６１】
【図１】本発明の実施の形態１の画像状態を示す説明図
【図２】本発明の実施の形態２の画像状態を示す説明図
【図３】本発明の実施の形態３の画像状態を示す説明図
【図４】本発明の実施の形態４の画像表示装置の詳細ブロック図
【図５】本発明の実施の形態１、４のプロジェクタの外観図
【図６】本発明の実施の形態１の画像表示装置の詳細ブロック図
【図７】本発明の実施の形態１、４を説明する画像表示システム図
【図８】従来例における色補正を行う画面表示図
【図９】従来例における色補正を行う画面表示図
【符号の説明】
【００６２】
１  カーソル
２  調整色パレット
３  目標色パレット
４  彩度調整スケール
５  色相調整スケール
６  明度調整スケール
７  色調整用画面
１０  映像信号表示画面
１１  ＶＩＤＥＯ端子
１２  Ｓ−ＶＩＤＥＯ端子
１３  ＲＧＢ／ＹＰｂＰｒ端子
２１  入力セレクタ
２２  カラーデコーダ
２３  Ｙ／Ｃ分離回路
２４  マトリクス回路
２５  入力セレクタ
２６  入力セレクタ
３０  Ａ／Ｄコンバータ
４０  リサイズ・フリーズ・オンスクリーン発生回路
５０  色変換回路
５２  入力セレクタ
６０  リモコン
６１  パソコン
７０  メインマイコン
７１  外部インタフェース
８１〜８３  デジタル相展開回路
９０  パネル駆動ＩＣ
９１〜９３  ＬＣＤパネル
１００  プロジェクタ
１１０  スクリーン
１３０  マウス
１４０  操作ボタン
１４１  カーソル表示ボタン
１５０  ＰＯＷＥＲボタン
１６０  ＲＧＢ入力端子
１７０  Ｖｉｄｅｏ入力端子
１９０  投写レンズ
【図１】
2006101105.tif 000003
【図２】
2006101105.tif 000004
【図３】
2006101105.tif 000005
【図４】
2006101105.tif 000006
【図５】
2006101105.tif 000007
【図６】
2006101105.tif 000008
【図７】
2006101105.tif 000009
【図８】
2006101105.tif 000010
【図９】
2006101105.tif 000011